(57)【要約】【課題】１つの共振回路を用いて構成したＢＰＦにおいて複数の整合周波数を有する共振回路、及びこれを用いた通過周波数帯域の上下に減衰極を有するフィルタ回路、並びにこれを有する多層基板を提供する。【解決手段】入力側伝送線路113と、入力端が入力側伝送線路113の出力端に接続されている出力側伝送線路114と、入力側伝送線路113の入力端111に一端が接続されていると共に出力側伝送線路114の出力端112に他端が接続されている第１コンデンサCAと、入力側伝送線路の出力端113に一端が接続された共振用主伝送線路115と、共振用主伝送線路115の他端に一端が接続され且つ他端が接地された第２コンデンサ116とからなる共振回路110を構成する。【選択図】図１
2007180781.tif 000002
【特許請求の範囲】
【請求項１】
入力側伝送線路と、
入力端が前記入力側伝送線路の出力端に接続されている出力側伝送線路と、
前記入力側伝送線路の入力端に一端が接続されていると共に前記出力側伝送線路の出力端に他端が接続されている第１コンデンサと、
前記入力側伝送線路の出力端に一端が接続された主共振部と、
一端を入力端とし且つ他端が前記入力側伝送線路の入力端に接続された第２コンデンサと、
一端が前記出力側伝送線路の出力端に接続され且つ他端を出力端とする第３コンデンサとからなる
ことを特徴とする共振回路。
【請求項２】
前記主共振部は、終端開放の伝送線路を有する
ことを特徴とする請求項１に記載の共振回路。
【請求項３】
前記主共振部は、終端部に第４のコンデンサを介して接地された伝送線路を有する
ことを特徴とする請求項１に記載の共振回路。
【請求項４】
前記主共振部は、終端短絡の伝送線路を有する
ことを特徴とする請求項１に記載の共振回路。
【請求項５】
入力側伝送線路と、
入力端が前記入力側伝送線路の出力端に接続されている出力側伝送線路と、
前記入力側伝送線路の入力端に一端が接続されていると共に前記出力側伝送線路の出力端に他端が接続されている第１コンデンサと、
前記入力側伝送線路の出力端に一端が接続された第１主共振部と、
一端を入力端とし且つ他端が前記入力側伝送線路の入力端に接続された第２コンデンサと、
一端が前記出力側伝送線路の出力端に接続され且つ他端を出力端とする第３コンデンサと
からなる共振回路を少なくとも１組備える
ことを特徴とするフィルタ回路。
【請求項６】
前記共振回路の前記第２コンデンサの入力端側に第２主共振部が接続され、
前記第３コンデンサの出力端側に第３主共振部が接続された、
ことを特徴とする請求項５に記載のフィルタ回路。
【請求項７】
前記共振回路を２組以上備え、
隣接する共振回路の、一方の共振回路の第２コンデンサと、他方の共振回路の第３コンデンサが、共用されている
ことを特徴とする請求項５に記載のフィルタ回路。
【請求項８】
積層体内部に導体パターンによって構成された電子回路が埋設されている多層基板であって、
入力側伝送線路部と、
入力端が前記入力側伝送線路部の出力端に接続されている出力側伝送線路部と、
前記入力側伝送線路部の入力端に接続され且つ前記出力側伝送線路部の出力端に接続された第１コンデンサ部と、
前記入力側伝送線路部の出力端に一端が接続された主共振部と、
前記入力側伝送線路部の入力端に接続された第２コンデンサ部と、
前記出力側伝送線路部の出力端に接続された第３コンデンサ部と
からなる共振回路部を有する
ことを特徴とする多層基板。
【請求項９】
前記入力側伝送線路部、前記出力側伝送線路部、前記第１コンデンサ部の一方のコンデンサ電極、前記第２コンデンサ部の一方のコンデンサ電極及び前記第３コンデンサ部の一方のコンデンサ電極を一体に形成する導体パターンと、
一端をビア導体によって前記第３コンデンサ部に接続される前記第１コンデンサ部の他方のコンデンサ電極を形成する導体パターンとを備えた
ことを特徴とする請求項９に記載の多層基板。
【請求項１０】
前記伝送線路部がストリップラインであることを特徴とする請求項９に記載の多層基板。
【発明の詳細な説明】
【技術分野】
【０００１】
本発明は、広帯域無線システム等に適用可能な共振回路、フィルタ回路、及び多層基板に関するものである。
【背景技術】
【０００２】
近年、広帯域を使用する無線システムの開発が検討されている。広帯域を使用する無線システムにおいて、必要な信号と不要な信号を選別するバンドパスフィルタ（Band Pass Filter：ＢＰＦ）は、広帯域で整合が取れること及び低い挿入損失であることが望まれる。
【０００３】
このような広帯域での使用を目的とした従来例の共振回路、フィルタ回路、及び多層基板の一具体例を以下に説明する。
【０００４】
図１６は従来例の共振回路を示す図、図１７は従来例のフィルタ回路を示す図、図１８及び図１９は従来例のフィルタ回路の周波数特性を示す図、図２０は従来例のフィルタ素子を示す外観斜視図、図２１は従来例の多層基板を示す要部平面透過図、図２２は従来例の多層基板を示す要部側面透過図、図２３は従来例の多層基板を示す要部分解斜視図、図２４は従来例の多層基板におけるフィルタ回路を示す等価回路図、図２５は従来例の多層基板におけるフィルタ回路の周波数特性を示す図である。
【０００５】
図１６に示すように、前述したＢＰＦに使用する従来例の共振回路は、入力端子211と出力端子212との間に直列接続された伝送線路213,214と、伝送線路213,214の接続点と接地間に接続された伝送線路215と、伝送線路215と接地間に接続されたコンデンサ216とから構成されている。
【０００６】
上記の共振回路210を用いて通過帯域が６〜１０ＧＨｚのＢＰＦを形成したフィルタ回路220は、図１７に示すように、入力端子211と入力側伝送線路213との間にコンデンサ221を介在し、さらに、出力端子212と出力側伝送線路214との間にコンデンサ222を介在させて構成される。
【０００７】
上記のフィルタ回路220の周波数特性は図１８及び図１９に示すものとなる。図において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は５ＧＨｚ、２２．５ＧＨｚ、４３．５ＧＨｚにおいて極大値を示し、反射量特性曲線Ｂが示すように、反射量は８．５ＧＨｚ、３１．５ＧＨｚにおいて極小値を示している。
【０００８】
上記のフィルタ回路220を素子として形成したときのフィルタ素子230の外観形状の一例は図２０に示すものとなる。即ち、フィルタ素子230は誘電体セラミックスを主体とした直方体形状の積層体231の内部に上記のフィルタ回路220が積層形成され、積層体231の外表面に外部端子電極232〜235が形成されてなる。ここで、外部端子電極232は入力端子211に対応し、外部端子電極233は出力端子212に対応する。また、外部端子電極234,235は接地端子である。
【０００９】
上記のフィルタ回路220を適用した他の例のＢＰＦを多層基板の内部に形成した場合の導体パターの形状及び配置は図２１乃至図２３に示すようになる。
【００１０】
図２１乃至図２３において、240は多層基板で、誘電体セラミックスを主体とし、その内部に複数の導体パターンが積層配置されて後述するフィルタ回路290が形成されている。即ち、多層基板240においてフィルタ回路290が形成されている部分は、表面と裏面のそれぞれに互いに平行な接地導体パターン241,242が配置され、それらの間に上記接地導体パターン241,242に平行な所定の大きさの接地導体パターン243が設けられ、この接地導体パターン243は複数のビア導体244によって接地導体パターン241,242に導電接続されている。また、接地導体パターン241,242の間には入力側導体パターン250と、出力側導体パターン260、共振用導体パターン270、連結用導体パターン280が設けられている。
【００１１】
入力側導体パターン250は、接地導体パターン241,242に平行になるように設けられ、入力側ストリップライン251とこれに接続されたコンデンサ電極252、コンデンサ電極252に一端が接続されているストリップライン253、及びストリップライン253の他端に接続されたコンデンサ電極254とから構成されている。ここで、コンデンサ電極254のみが接地導体パターン243に対向するように配置されている。
【００１２】
出力側導体パターン260は、接地導体パターン241,242に平行になるように且つ入力側導体パターン250と同一面内に設けられ、出力側ストリップライン261とこれに接続されたコンデンサ電極262、コンデンサ電極262に一端が接続され上記ストリップライン253に平行に配置されているストリップライン263、及びストリップライン263の他端に接続されたコンデンサ電極264とから構成されている。ここで、コンデンサ電極264のみが接地導体パターン243に対向するように配置されている。
【００１３】
共振用導体パターン270は、入力側導体パターン250と出力側導体パターン260との間に、これらと同一平面内に設けられ、上記ストリップライン253に平行に配置されているストリップライン271及びストリップライン271の他端に接続されたコンデンサ電極272とから構成されている。ここで、コンデンサ電極272のみが接地導体パターン243に対向するように配置されている。
【００１４】
連結用導体パターン280は、上記の入力側導体パターン250と出力側導体パターン260及び共振用導体パターン270が配置された層とは異なる層に誘電体セラミックス240aを介在させて配置され、コンデンサ電極252に対向するように配置されたコンデンサ電極281と、コンデンサ電極262に対向するように配置されたコンデンサ電極285、コンデンサ電極281に一端が接続されたストリップライン282、ストリップライン282の他端に接続された接続電極283、接続電極283に一端が接続され且つ他端がコンデンサ電極285に接続されたストリップライン284とから構成されている。また、接続電極283はビア導体273を介してストリップライン271の一端に接続されている。
【００１５】
上記多層基板240内に形成されたフィルタ回路の等価回路が図２４に示すものである。上記構成においては、図２４に示す回路の各構成部分は以下のように構成される。
【００１６】
即ち、入力端子291に接続された伝送線路293はストリップライン251によって構成され、コンデンサ221はコンデンサ電極252とコンデンサ電極281によって構成され、伝送線路213はストリップライン282によって構成される。
【００１７】
また、出力端子292に接続された伝送線路294はストリップライン261によって構成され、コンデンサ222はコンデンサ電極262とコンデンサ電極285によって構成され、伝送線路214はストリップライン284によって構成される。
【００１８】
また、伝送線路215とコンデンサ216の直列共振回路はストリップライン271とコンデンサ電極272及び接地導体パターン243によって構成される。
【００１９】
さらに、伝送線路293とコンデンサ221との接続点に接続された伝送線路295とコンデンサ297の直列共振回路はストリップライン253とコンデンサ電極254及び接地導体パターン243によって構成され、伝送線路294とコンデンサ222との接続点に接続された伝送線路296とコンデンサ298の直列共振回路はストリップライン263とコンデンサ電極264及び接地導体パターン243によって構成される。
【００２０】
上記のように構成された多層基板240内のフィルタ回路（バンドパスフィルタ）290の周波数特性は図２５に示すものとなる。図において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は１．８ＧＨｚ、５．２ＧＨｚにおいて極大値を示し、反射量特性曲線Ｂが示すように、反射量は７．１ＧＨｚ、９．６ＧＨｚにおいて極小値を示している。このフィルタ回路290は、前述したフィルタ回路220を基本として通過帯域が６〜１０ＧＨｚとなるように設計されたものである。
【００２１】
尚、図１７及び図２０に示すフィルタ素子230を構成する場合は、上記図２１乃至図２３に示した入力側導体パターン250のストリップライン251,253及びコンデンサ電極254と出力側導体パターン260のストリップライン261,263及びコンデンサ電極264を除去すればよい。
【００２２】
上記の共振回路210や、フィルタ回路220、フィルタ素子230、及び多層基板240は一具体例であり、他のバンドパスフィルタとしては例えば特開平10-126104号公報に開示されるものが知られている。
【特許文献１】特開平10-126104号公報
【発明の開示】
【発明が解決しようとする課題】
【００２３】
しかしながら、前述した具体例のように、通常、１つの共振回路を用いてＢＰＦを構成した場合、反射量が極値となる整合周波数が１つしか現れないため、広帯域において低い挿入損失を維持することは困難である。また、上記のように共振回路を多段化したＢＰＦを構成することで、整合周波数を増やすことができるが、共振回路の多段化は、回路規模の増加や挿入損失の増加を招く。また、共振回路を多段化して構成したＢＰＦにおいても図２５に示すように通過周波数帯域近傍の上側遮断周波数において減衰極が現れず、実質的にはハイパスフィルタに近い特性になってしまうという問題点があった。
【００２４】
本発明は前記問題点に鑑みてなされたものであり、その目的とするところは、ＢＰＦにおいて複数の整合周波数を有する小型形状の共振回路、及びこれを用いた通過周波数帯域近傍の上下周波数（阻止域）に減衰極を有するフィルタ回路、並びにこれを有する多層基板を提供することにある。
【課題を解決するための手段】
【００２５】
本発明は前記目的を達成するために、入力側伝送線路と、入力端が前記入力側伝送線路の出力端に接続されている出力側伝送線路と、前記入力側伝送線路の入力端に一端が接続されていると共に前記出力側伝送線路の出力端に他端が接続されている第１コンデンサと、前記入力側伝送線路の出力端に一端が接続された主共振部と、一端を入力端とし且つ他端が前記入力側伝送線路の入力端に接続された第２コンデンサと、一端が前記出力側伝送線路の出力端に接続され且つ他端を出力端とする第３コンデンサとからなる共振回路を提案する。
【００２６】
本発明の共振回路によれば、本共振回路を用いてＢＰＦを構成した場合、前記第１コンデンサにより、反射量が極値となる整合周波数が第１コンデンサを付加しないときに比べて１つ増え、広帯域で整合が取れるため、その結果、低い挿入損失が維持できる。また、高い周波数の減衰域に減衰極を設けることが可能になり、良好な減衰特性を示す。
【００２７】
また、本発明は前記目的を達成するために、積層体内部に導体パターンによって構成された電子回路が埋設されている多層基板であって、入力側伝送線路部と、入力端が前記入力側伝送線路部の出力端に接続されている出力側伝送線路部と、前記入力側伝送線路部の入力端に接続され且つ前記出力側電送線路部の出力端に接続された第１コンデンサ部と、前記入力側伝送線路部の出力端に一端が接続された主共振部と、前記入力側伝送線路部の入力端に接続された第２コンデンサ部と、前記出力側伝送線路部の出力端に接続された第３コンデンサ部とからなる共振回路部を有する多層基板を提案する。
【００２８】
本発明の多層基板によれば、上記各伝送線路部によってＢＰＦが構成され、該ＢＰＦにおいては、前記第１コンデンサ部によって、反射量が極値となる整合周波数が第１コンデンサ部を付加しないときに比べて１つ増え、広帯域で整合が取れるため、その結果、低い挿入損失が維持できる。また、高域側遮断周波数において減衰域を設けることができ、良好な減衰特性を示す。
【発明の効果】
【００２９】
本発明の共振回路によれば、本共振回路を用いてＢＰＦを構成した場合、第１コンデンサにより、反射量が極値となる整合周波数が第１コンデンサを付加しないときに比べて１つ増えるとともに、高い周波数の減衰域に減衰極を設けることが可能になる。
【００３０】
また、本発明のフィルタ回路によれば、ＢＰＦが構成され、第１コンデンサによって、反射量が極値となる整合周波数が第１コンデンサを付加しないときに比べて１つ増えるとともに、広帯域で整合が取れるため、その結果、低い挿入損失が維持できるとともに、高域側遮断周波数において減衰域を設けることができ、良好な減衰特性を示す。
【００３１】
また、本発明の多層基板によれば、各伝送線路部によってＢＰＦが構成され、該ＢＰＦにおいては、第１コンデンサ部によって、反射量が極値となる整合周波数が第１コンデンサ部を付加しないときに比べて１つ増えるとともに、広帯域で整合が取れるため、その結果、低い挿入損失が維持できるとともに、高域側遮断周波数において減衰域を設けることができ、良好な減衰特性を示す。
【発明を実施するための最良の形態】
【００３２】
以下、図面を参照して本発明の一実施形態を説明する。
【００３３】
図１は本発明の一実施形態における共振回路を示す図、図２及び図３は本発明の一実施形態における共振回路の周波数特性を示す図、図４及び図５は他の回路を説明する図、図６は本発明の一実施形態における共振回路を用いたフィルタ素子を示す外観斜視図、図７は本発明の一実施形態における多層基板を示す要部平面透過図、図８は本発明の一実施形態における多層基板を示す要部側面透過図、図９は本発明の一実施形態における多層基板を示す要部分解斜視図、図１０は本発明の一実施形態における多層基板に形成されているフィルタ回路を示す等価回路図、図１１は本発明の一実施形態における多層基板に形成されているフィルタ回路の周波数特性を示す図である。
【００３４】
図１に示すように、本実施形態の共振回路110は、入力端子111と出力端子112との間に直列接続された伝送線路113,114と、伝送線路113,114の接続点に一端が接続された伝送線路115と該伝送線路115の他端と接地間に接続されたコンデンサ116とからなる主共振部と、入力側伝送線路113の入力端と出力側伝送線路114の出力端との間に接続されたコンデンサＣＡと、入力端子111と入力側伝送線路113の入力端との間に介在させたコンデンサ117、出力端子112と出力側伝送線路114の出力端との間に介在させたコンデンサ118から構成されている。この共振回路110は、伝送線路115の終端にコンデンサ116を付加し、波長短縮を施したものである。ただし、この共振回路110は、素子間の配線としての伝送線路113,114とこれに並列接続されたコンデンサＣＡを設けた構成である。
【００３５】
上記の共振回路110の周波数特性は図２及び図３に示すものとなる。図において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は５ＧＨｚ、１６．２ＧＨｚ、１９．５ＧＨｚ、４０．０ＧＨｚにおいて極大値を示し、反射量特性曲線Ｂが示すように、反射量は８．７ＧＨｚ、１１．８ＧＨｚ、２５．５ＧＨｚ、４５．０ＧＨｚにおいて極小値を示している。
【００３６】
このようにコンデンサＣＡを付加することで、従来例に比べて反射量が極小値となる整合周波数が１つ増えるとともに、高い周波数の減衰域に減衰極を設けることが可能になる。さらに、従来例の共振回路と比較して広帯域で整合が取れるため、低い挿入損失が維持できるとともに、高い周波数（減衰域）で良好な減衰特性を示す。
【００３７】
また、本実施形態における共振回路110は、伝送線路115と入出力のコンデンサ117,118間にある２つの伝送線路113,114を活用して、整合周波数と減衰極を付加している。よって例えば、並列共振回路等を新たに設けて、減衰極を作る方法よりも、小型形状で、減衰極を付加することが実現できる。このことは、設計面積の削減に寄与するとともに、余分な浮遊容量の削減により特性が改善し、結果として、小型で広帯域な電気特性が実現できる。
【００３８】
尚、本実施形態の共振回路110の主共振部は、伝送線路115及びコンデンサ116の組み合わせに代えて、図４のような終端開放の伝送線路LX1や、図５のような終端短絡の伝送線路LX2等を使う回路も考えられる。
【００３９】
上記の共振回路110を素子として形成したときのフィルタ素子130の外観形状の一例は図６に示すものとなる。即ち、フィルタ素子130は誘電体セラミックスを主体とした直方体形状の積層素体131の内部に上記の共振回路110が積層形成され、積層素体131の外表面に外部端子電極132〜135が形成されてなる。ここで、外部端子電極132は入力端子111に対応し、外部端子電極133は出力端子112に対応する。また、外部端子電極134,135は接地端子である。
【００４０】
上記の共振回路110を適用した他の例のＢＰＦを多層基板の内部に形成した場合の導体パターの形状及び配置は図７乃至図９に示すようになる。
【００４１】
図７乃至図９において、140は多層基板で、誘電体セラミックス140aを主体とし、その内部に複数の導体パターンが積層配置されて後述するフィルタ回路190が形成されている。即ち、多層基板140においてフィルタ回路190が形成されている部分は、表面と裏面のそれぞれに互いに平行な接地導体パターン141,142が配置され、それらの間に上記接地導体パターン141,142に平行な所定の大きさの接地導体パターン143が設けられ、この接地導体パターン143は複数のビア導体144によって接地導体パターン141,142に導電接続されている。また、接地導体パターン141,142の間には入力側導体パターン150と、出力側導体パターン160、共振用導体パターン170、連結用導体パターン180が設けられている。
【００４２】
入力側導体パターン150は、接地導体パターン141,142に平行になるように設けられ、入力側ストリップライン151とこれに接続された第２コンデンサ部のコンデンサ電極152、及びコンデンサ電極152に一端が接続されているストリップライン153とストリップライン153の他端に接続されたコンデンサ電極154とから構成されている第２主共振部を備えている。ここで、コンデンサ電極154のみが接地導体パターン143に対向するように配置されている。
【００４３】
出力側導体パターン160は、接地導体パターン141,142に平行になるように且つ入力側導体パターン150と同一面内に設けられ、出力側ストリップライン161とこれに接続された第３コンデンサ部のコンデンサ電極162、及びコンデンサ電極162に一端が接続され上記ストリップライン153に平行に配置されているストリップライン163とストリップライン163の他端に接続されたコンデンサ電極164とから構成されている第３主共振部を備えている。ここで、コンデンサ電極164のみが接地導体パターン143に対向するように配置されている。
【００４４】
共振用導体パターン170は、入力側導体パターン150と出力側導体パターン160との間に、これらと同一平面内に設けられ、上記ストリップライン153に平行に配置されているストリップライン171及びストリップライン171の他端に接続されたコンデンサ電極172とから構成されている第１主共振部を備えている。ここで、コンデンサ電極172のみが接地導体パターン143に対向するように配置されている。
【００４５】
連結用導体パターン180は、上記の入力側導体パターン150と出力側導体パターン160及び共振用導体パターン170が配置された層とは異なる層に誘電体セラミックス140aを介在させて配置され、コンデンサ電極152に対向するように配置された第２コンデンサ部のコンデンサ電極181、コンデンサ電極162に対向するように配置された第３コンデンサ部のコンデンサ電極185、コンデンサ電極181に一端が接続されたストリップライン182、ストリップライン182の他端に接続された接続電極183、接続電極183に一端が接続され且つ他端がコンデンサ電極185に接続されたストリップライン184及びコンデンサ電極181に接続された第１コンデンサ部のコンデンサ電極186を一体に形成した導体パターンと、コンデンサ電極186の開放端部に対して誘電体セラミックス140aを介して対向するように開放端部が配置され且つ他端がビア導体188によってコンデンサ電極185に接続された第１コンデンサ部のコンデンサ電極187とから構成されている。また、接続電極183はビア導体173を介してストリップライン171の一端に接続されている。
【００４６】
上記多層基板140内に形成されたフィルタ回路の等価回路が図１０に示すものである。上記構成においては、図１０に示す回路の各構成部分は以下のように構成される。
【００４７】
即ち、入力端子191に接続された伝送線路193はストリップライン153によって構成され、コンデンサ121はコンデンサ電極152とコンデンサ電極181によって構成され、伝送線路113はストリップライン182によって構成される。
【００４８】
また、出力端子192に接続された伝送線路194はストリップライン163によって構成され、コンデンサ122はコンデンサ電極162とコンデンサ電極185によって構成され、伝送線路114はストリップライン184によって構成される。
【００４９】
また、伝送線路115とコンデンサ116の主共振部はストリップライン171とコンデンサ電極172及び接地導体パターン143によって構成される。
【００５０】
また、入力側伝送線路113の入力端と出力側伝送線路114の出力端との間に接続されたコンデンサＣＡは、コンデンサ電極186とこれに対向配置されたコンデンサ電極187によって構成される。
【００５１】
さらに、入力端子191に接続された伝送線路193とコンデンサ195の直列共振回路はストリップライン153とコンデンサ電極154及び接地導体パターン143によって構成され、出力端子192に接続された伝送線路194とコンデンサ196の直列共振回路はストリップライン163とコンデンサ電極164及び接地導体パターン143によって構成される。
【００５２】
上記のように構成された多層基板140内のフィルタ回路（バンドパスフィルタ）190の周波数特性は図１１に示すものとなる。図において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は１．８ＧＨｚ、５．２ＧＨｚ、１１．３ＧＨｚにおいて極大値を示し、反射量特性曲線Ｂが示すように、反射量は６．５ＧＨｚ、７．０ＧＨｚ、８．８ＧＨｚ、１０．５ＧＨｚにおいて極小値を示している。このフィルタ回路190は、前述した共振回路110を基本として通過帯域が６〜１０ＧＨｚとなるように設計されたものである。
【００５３】
前述したフィルタ回路190は、本実施形態の共振回路110と従来の共振回路を組み合わせて、セラミック多層基板内に実現した共振回路３段を直列接続して成るものである。前述した電気特性が示すように、本実施形態の共振回路３段のＢＰＦ190は、整合周波数を４つ持つとともに、高い周波数（減衰域）に減衰極が付加されている。一方、従来例の共振回路290では、整合周波数は３つで、高い周波数の減衰域に減衰極は設置できない。本実施形態のＢＰＦ190の電気特性と従来例のＢＰＦ290の電気特性を比較すると本実施形態の共振回路110を用いたＢＰＦ190の方が、広帯域、高減衰特性に有利であることが明らかである。
【００５４】
尚、図１及び図６に示すフィルタ素子130を構成する場合は、上記図７乃至図９に示した入力側導体パターン150のストリップライン151,153及びコンデンサ電極154と出力側導体パターン160のストリップライン161,163及びコンデンサ電極164を除去すればよい。
【００５５】
また、図１に示した共振回路110を２組以上直列接続することによりＢＰＦを構成することも可能である。例えば、図１２は２組の共振回路110を入力端子301と出力端子302との間に直列接続してＢＰＦ300を構成したものである。なお、コンデンサ312は、一方の共振回路の第２コンデンサ（入力側コンデンサ）と他方の共振回路の第３コンデンサ（出力側コンデンサ）の共用になっている。
【００５６】
このＢＰＦ300の周波数特性は図１３に示すものとなる。図１３において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は４．８ＧＨｚ、１７．５ＧＨｚにおいて極大値を示し、反射量特性曲線Ｂが示すように、反射量は６．７ＧＨｚ、８．６ＧＨｚ、１２．０ＧＨｚ、１４．３ＧＨｚにおいて極小値を示している。このフィルタ回路300は、通過帯域が６〜１０ＧＨｚとなるように設計されたものである。
【００５７】
また、図１４は３つの共振回路110を入力端子401と出力端子402との間に直列接続してＢＰＦ400を構成したものである。
【００５８】
このＢＰＦ400の周波数特性は図１５に示すものとなる。図１５において、曲線Ａは減衰量特性曲線であり、曲線Ｂは反射量特性曲線である。また、縦軸は減衰量及び反射量［ｄＢ］を表し、横軸は周波数［ＧＨｚ］を表している。このように減衰量特性曲線Ａが示すように、減衰量は４．５ＧＨｚ、５．０ＧＨｚ、１６．５ＧＨｚ、２０．０ＧＨｚにおいて極大値を示し、反射量特性曲線Ｂが示すように、反射量は６．３ＧＨｚ、７．０ＧＨｚ、９．０ＧＨｚ、１１．８ＧＨｚ、１３．８ＧＨｚ、１４．８ＧＨｚにおいて極小値を示している。このフィルタ回路400は、通過帯域が６〜１５ＧＨｚとなるように設計されたものである。
【００５９】
このように、本実施形態の共振回路110をコンデンサを介して２組以上直列接続することにより、優れた周波数特性を有するＢＰＦを構成することができる。
【図面の簡単な説明】
【００６０】
【図１】本発明の一実施形態における共振回路を示す図
【図２】本発明の一実施形態における共振回路の周波数特性を示す図
【図３】本発明の一実施形態における共振回路の周波数特性を示す図
【図４】本発明の一実施形態における他の回路構成を説明する図
【図５】本発明の一実施形態における他の回路構成を説明する図
【図６】本発明の一実施形態における共振回路を用いたフィルタ素子を示す外観斜視図
【図７】本発明の一実施形態における多層基板を示す要部平面透過図
【図８】本発明の一実施形態における多層基板を示す要部側面透過図
【図９】本発明の一実施形態における多層基板を示す要部分解斜視図
【図１０】本発明の一実施形態における多層基板に形成されているフィルタ回路を示す等価回路図
【図１１】本発明の一実施形態における多層基板に形成されているフィルタ回路の周波数特性を示す図                                     ・
【図１２】本発明の一実施形態における２段型フィルタ回路を示す回路図
【図１３】本発明の一実施形態における２段型フィルタ回路の周波数特性を示す図
【図１４】本発明の一実施形態における３段型フィルタ回路を示す回路図
【図１５】本発明の一実施形態における３段型フィルタ回路の周波数特性を示す図
【図１６】従来例の共振回路を示す図
【図１７】は従来例のフィルタ回路を示す図
【図１８】従来例のフィルタ回路の周波数特性を示す図
【図１９】従来例のフィルタ回路の周波数特性を示す図
【図２０】従来例のフィルタ素子を示す外観斜視図
【図２１】従来例の多層基板を示す要部平面透過図
【図２２】従来例の多層基板を示す要部側面透過図
【図２３】従来例の多層基板を示す要部分解斜視図
【図２４】従来例の多層基板におけるフィルタ回路を示す等価回路図
【図２５】従来例の多層基板におけるフィルタ回路の周波数特性を示す図
【符号の説明】
【００６１】
110…共振回路、111…入力端子、112…出力端子、113…入力側伝送線路、114…出力側伝送線路、115…共振用伝送線路、116…共振用コンデンサ、117,118…コンデンサ、130…フィルタ素子、131…積層素体、132,133,134,135…外部端子電極、140…多層基板、140a…誘電体セラミックス、141,142,143…接地導体パターン、144…ビア導体、150…入力側導体パターン、151…入力側ストリップライン、152…コンデンサ電極、153…ストリップライン、154…コンデンサ電極、160…出力側導体パターン、161…出力側ストリップライン、162…コンデンサ電極、163…ストリップライン、164…コンデンサ電極、170…共振用導体パターン、171…ストリップライン、172…コンデンサ電極、180…連結用導体パターン、181…コンデンサ電極、182…ストリップライン、183…接続部、184…ストリップライン、185…コンデンサ電極、186,187…コンデンサ電極、188…ビア導体、190…フィルタ回路、191…入力端子、192…出力端子、193,194…共振用伝送線路、195,196…共振用コンデンサ、ＣＡ…コンデンサ、300…フィルタ回路、301…入力端子、311〜313…コンデンサ、400…フィルタ回路、401…入力端子、402…出力端子、411〜414…コンデンサ。
【図１】
2007180781.tif 000003
【図２】
2007180781.tif 000004
【図３】
2007180781.tif 000005
【図４】
2007180781.tif 000006
【図５】
2007180781.tif 000007
【図６】
2007180781.tif 000008
【図７】
2007180781.tif 000009
【図８】
2007180781.tif 000010
【図９】
2007180781.tif 000011
【図１０】
2007180781.tif 000012
【図１１】
2007180781.tif 000013
【図１２】
2007180781.tif 000014
【図１３】
2007180781.tif 000015
【図１４】
2007180781.tif 000016
【図１５】
2007180781.tif 000017
【図１６】
2007180781.tif 000018
【図１７】
2007180781.tif 000019
【図１８】
2007180781.tif 000020
【図１９】
2007180781.tif 000021
【図２０】
2007180781.tif 000022
【図２１】
2007180781.tif 000023
【図２２】
2007180781.tif 000024
【図２３】
2007180781.tif 000025
【図２４】
2007180781.tif 000026
【図２５】
2007180781.tif 000027